【手続補正書】
【提出日】平成16年2月6日(2004.2.6)
【手続補正１】
【補正対象書類名】明細書
【補正対象項目名】発明の名称
【補正方法】変更
【補正の内容】
【発明の名称】現金処理システム


【手続補正２】
【補正対象書類名】明細書
【補正対象項目名】特許請求の範囲
【補正方法】変更
【補正の内容】
【特許請求の範囲】
【請求項１】
現金を収納した現金収納庫を具備して、この現金収納庫内の現金にて所定の取引処理を行う複数の自動取引装置と、これら複数の自動取引装置に接続されて前記現金収納庫内の現金量を含む運用状態を管理する運用管理装置と、前記複数の自動取引装置間を移動して前記複数の自動取引装置に対して現金の回収並びに補充動作を行うキャリアと、このキャリアの動作を前記運用管理装置の指示に基づき制御するキャリアコントローラとを有する現金処理システムであって、
前記現金収納庫内の現金量に基づき前記運用管理装置で選択された現金の回収あるいは補充先の自動取引装置からの現金の回収あるいは補充を前記キャリアコントローラに指示する指示手段と、
この指示手段での指示に応じて、前記キャリアコントローラが前記キャリアと前記選択手段で選択された自動取引装置を制御して所定の現金融通処理を実行する現金融通制御手段と、
を具備したことを特徴とする現金処理システム。
【請求項２】
現金を収納した現金収納庫を具備して、この現金収納庫内の現金にて所定の取引処理を行う複数の自動取引装置と、これら複数の自動取引装置に接続されて前記現金収納庫内の現金量を含む運用状態を管理する運用管理装置と、前記複数の自動取引装置間を移動して前記複数の自動取引装置に対して現金の回収並びに補充動作を行うキャリアと、このキャリアの動作を前記運用管理装置の指示に基づき制御するキャリアコントローラとを有する現金処理システムであって、
前記運用管理装置は、
前記現金収納庫内の現金量に基づき現金の回収先または補充先の自動取引装置を選択する選択手段と、
この選択手段で選択された自動取引装置からの現金の回収又は自動取引家への現金の補充を前記キャリアコントローラに指示する指示手段と、
を具備し、
前記キャリアコントローラは、
前記指示手段での指示に応じて、前記キャリアと前記選択手段で選択された自動取引装置を制御して、所定の現金回収又は補充処理を実行する現金回収補充制御手段と、
この現金回収補充制御手段での現金回収処理が終了したとき、その旨を前記運用管理装置に通知する通知手段と、
を具備したことを特徴とする現金処理システム。
【請求項３】
現金を収納した現金収納庫を具備して、この現金収納庫内の現金にて所定の取引処理を行う複数の自動取引装置と、これら複数の自動取引装置に接続されて前記現金収納庫内の現金量を含む運用状態を管理する運用管理装置と、前記複数の自動取引装置間を移動して前記複数の自動取引装置に対して現金の回収並びに補充動作を行うキャリアと、このキャリアの動作を前記運用管理装置の指示に基づき制御するキャリアコントローラとを有する現金処理システムであって、
前記運用管理装置は、
前記現金収納庫内の現金量に基づき現金の回収先の自動取引装置を選択する第１の選択手段と、
この第１の選択手段で選択された自動取引装置からの現金の回収を前記キャリアコントローラに指示する第１の指示手段と、
を具備し、
前記キャリアコントローラは、
前記第１の指示手段での指示に応じて、前記キャリアと前記第１の選択手段で選択された自動取引装置を制御して、所定の現金回収処理を実行する現金回収制御手段と、
この現金回収制御手段での現金回収処理が終了したとき、その旨を前記運用管理装置に通知する第１の通知手段と、
を具備し、
前記運用管理装置は、
前記現金回収処理の通知を受け取ったとき、前記現金回収処理にて更新された前記現金収納庫内の現金量に基づき、前記回収された現金の補充先の自動取引装置を選択する第２の選択手段と、
この第２の選択手段で選択された自動取引装置への現金の補充を前記キャリアコントローラに指示する第２の指示手段と、
を具備し、
前記キャリアコントローラは、
前記第２の指示手段での指示に応じて、前記キャリアと前記第２の選択手段で選択された自動取引装置を制御して、所定の現金補充処理を実行する現金補充制御手段と、
この現金補充制御手段での現金補充処理が終了したとき、その旨を前記運用管理装置に通知する第２の通知手段と、
を具備したことを特徴とする現金処理システム。
【手続補正３】
【補正対象書類名】明細書
【補正対象項目名】００１１
【補正方法】変更
【補正の内容】
【００１１】
そこで、本発明は、システム全体の監視および制御機能から分散してシステム資源の有効利用と性能の向上が図れるとともに、現金融通動作の際の制御が容易に行える現金処理システムを提供することを目的とする。


【手続補正４】
【補正対象書類名】明細書
【補正対象項目名】００１３
【補正方法】変更
【補正の内容】
【００１３】
【課題を解決するための手段】
本発明の現金処理システムは、現金を収納した現金収納庫を具備して、この現金収納庫内の現金にて所定の取引処理を行う複数の自動取引装置と、これら複数の自動取引装置に接続されて前記現金収納庫内の現金量を含む運用状態を管理する運用管理装置と、前記複数の自動取引装置間を移動して前記複数の自動取引装置に対して現金の回収並びに補充動作を行うキャリアと、このキャリアの動作を前記運用管理装置の指示に基づき制御するキャリアコントローラとを有する現金処理システムであって、前記現金収納庫内の現金量に基づき前記運用管理装置で選択された現金の回収あるいは補充先の自動取引装置からの現金の回収あるいは補充を前記キャリアコントローラに指示する指示手段と、この指示手段での指示に応じて、前記キャリアコントローラが前記キャリアと前記選択手段で選択された自動取引装置を制御して所定の現金融通処理を実行する現金融通制御手段とを有する構成となっている。
【手続補正５】
【補正対象書類名】明細書
【補正対象項目名】００１４
【補正方法】変更
【補正の内容】
【００１４】
本発明の現金処理システムは、現金を収納した現金収納庫を具備して、この現金収納庫内の現金にて所定の取引処理を行う複数の自動取引装置と、これら複数の自動取引装置に接続されて前記現金収納庫内の現金量を含む運用状態を管理する運用管理装置と、前記複数の自動取引装置間を移動して前記複数の自動取引装置に対して現金の回収並びに補充動作を行うキャリアと、このキャリアの動作を前記運用管理装置の指示に基づき制御するキャリアコントローラとを有する現金処理システムであって、前記運用管理装置は、前記現金収納庫内の現金量に基づき現金の回収先または補充先の自動取引装置を選択する選択手段と、この選択手段で選択された自動取引装置からの現金の回収又は自動取引家への現金の補充を前記キャリアコントローラに指示する指示手段とを具備し、前記キャリアコントローラは、前記指示手段での指示に応じて、前記キャリアと前記選択手段で選択された自動取引装置を制御して、所定の現金回収又は補充処理を実行する現金回収補充制御手段と、この現金回収補充制御手段での現金回収処理が終了したとき、その旨を前記運用管理装置に通知する通知手段とを具備する構成となっている。
【手続補正６】
【補正対象書類名】明細書
【補正対象項目名】００１５
【補正方法】変更
【補正の内容】
【００１５】
本発明の現金処理システムは、現金を収納した現金収納庫を具備して、この現金収納庫内の現金にて所定の取引処理を行う複数の自動取引装置と、これら複数の自動取引装置に接続されて前記現金収納庫内の現金量を含む運用状態を管理する運用管理装置と、前記複数の自動取引装置間を移動して前記複数の自動取引装置に対して現金の回収並びに補充動作を行うキャリアと、このキャリアの動作を前記運用管理装置の指示に基づき制御するキャリアコントローラとを有する現金処理システムであって、前記運用管理装置は、前記現金収納庫内の現金量に基づき現金の回収先の自動取引装置を選択する第１の選択手段と、この第１の選択手段で選択された自動取引装置からの現金の回収を前記キャリアコントローラに指示する第１の指示手段とを具備し、前記キャリアコントローラは、前記第１の指示手段での指示に応じて、前記キャリアと前記第１の選択手段で選択された自動取引装置を制御して、所定の現金回収処理を実行する現金回収制御手段と、この現金回収制御手段での現金回収処理が終了したとき、その旨を前記運用管理装置に通知する第１の通知手段とを具備し、前記運用管理装置は、前記現金回収処理の通知を受け取ったとき、前記現金回収処理にて更新された前記現金収納庫内の現金量に基づき、前記回収された現金の補充先の自動取引装置を選択する第２の選択手段と、この第２の選択手段で選択された自動取引装置への現金の補充を前記キャリアコントローラに指示する第２の指示手段とを具備し、前記キャリアコントローラは、前記第２の指示手段での指示に応じて、前記キャリアと前記第２の選択手段で選択された自動取引装置を制御して、所定の現金補充処理を実行する現金補充制御手段と、この現金補充制御手段での現金補充処理が終了したとき、その旨を前記運用管理装置に通知する第２の通知手段とを具備する構成となっている。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】